(57)【要約】【課題】水害等によりタンクが水に浸った場合であっても、タンクの基台からの脱落、漂流を比較的簡便に防止できるタンクの保持構造を提供する。【解決手段】水害時に浸かり得る地域に設置されたタンク１を水に浸かった場合に保持するための構造Ａであって、繊維シートと樹脂材の複合材料であり、タンク１の側面１ｅにタンク１を囲繞するように設けられる繊維強化プラスチック２と、タンク１を囲繞するように繊維強化プラスチック２を設けるとともにタンク１の側面１ｅに固定して配設される接続手段３と、間接的または直接的に地盤Ｇに固定して配設される定着手段４と、接続手段３と定着手段４とを連結する連結手段５とを備える。【選択図】図１
2019151346.tif 000002
【特許請求の範囲】
【請求項１】
水害時に水に浸かり得る地域に設置されたタンクを水に浸かった場合に保持するための構造であって、
繊維シートと樹脂材の複合材料であり、前記タンクの側面に前記タンクを囲繞するように設けられる繊維強化プラスチックと、
前記タンクを囲繞するように前記繊維強化プラスチックを設けるとともに前記タンクの側面に固定して配設される接続手段と、
間接的または直接的に地盤に固定して配設される定着手段と、
前記接続手段と前記定着手段とを連結する連結手段とを備えることを特徴とするタンクの保持構造。
【請求項２】
請求項１記載のタンクの保持構造において、
前記接続手段は、輪状の接続部と、前記接続部に繋がる略矩形板状あるいは略棒状の固定部とを備えてなり、
長手方向を上下方向に向けて配された前記固定部が前記タンクを囲繞するように前記繊維強化プラスチックを設けるとともに前記繊維強化プラスチックと前記タンクの側面の間に挟持されて前記タンクの側面に固設され、前記接続部が前記タンクの側面の外側に突設されることを特徴とするタンクの保持構造。
【請求項３】
請求項１または請求項２に記載のタンクの保持構造において、
前記繊維強化プラスチックは、少なくとも前記タンクの座屈発生予想位置を含んで前記タンクの座屈耐力を向上させるようにその設置範囲が設定されていることを特徴とするタンクの保持構造。
【発明の詳細な説明】
【技術分野】
【０００１】
本発明は、沿岸地域に設けられたタンクを水害時に保持するためのタンクの保持構造に関する。
【背景技術】
【０００２】
港などの沿岸地域には、漁船などの船舶に燃料を補給するためのオイルタンク、ガスタンクが設けられている（例えば、特許文献１、特許文献２参照）。
【０００３】
例えば、漁船に燃料を補給するためのオイルタンクは、屋外に設置され、コンクリート製で環状の防油堤の内部に設けられたコンクリート製の基台上に設置されている。
【０００４】
この種のタンクは、鋼製で、円筒状の胴部の上側開口をリリーフ弁や開閉口を備えた蓋部で閉塞し、下側開口を底版部で閉塞して密閉可能に形成されている。また、タンクの下端部の外周には、外面から径方向外側に突出し、周方向に延びる環状のフランジが設けられ、このフランジには、周方向に所定の間隔をあけて複数のボルト挿通孔が貫通形成されている。
【０００５】
そして、上記のように構成した円筒型のタンクは、コンクリート製の基台に定着するアンカーボルトをフランジのボルト挿通孔に挿通しナットを締結することによって、基台上に固定して設置されている。
【先行技術文献】
【特許文献】
【０００６】
【特許文献１】特開２０１７−１４９４４９号公報
【特許文献２】特開２０１５−２２７１８２号公報
【発明の概要】
【発明が解決しようとする課題】
【０００７】
一方、東日本大震災では、沿岸地域に設置された多くのタンクが津波によって流され、タンクから石油、ＬＮＧ、ＬＰＧ等の可燃性の液体が漏洩し、火災、汚染を招いたことが確認、報告されている。
【０００８】
また、漁港近くの屋外に設けられ、漁船に燃料を補給するための小型のタンクが数多く津波の影響で流されたことが確認されている。
【０００９】
ここで、内部の液量が少ないタンクは、液量に応じて質量が小さくなるため、地震による地盤の揺れや津波の波力による衝撃によって倒壊しやすく、満液に近いタンクは、質量が大きいため、地震による地盤の揺れや津波の波力による衝撃により倒壊して流される可能性が低いと考えられていた。
【００１０】
しかしながら、東日本大震災では、満液のタンクも津波の影響で流され、内容液が漏洩し、何らかの要因で着火して火災を引き起こしたことが確認されている。流されたタンクが衝突して建物などの構造物に損傷を与えた可能性もある。
【００１１】
また、漁船に燃料を補給するための小型のタンクの多くは、津波の波力による衝撃ではなく、水に浸かり浮力が作用したことによって基台から引き抜け、漂流したことが確認、報告されている。さらに、タンクの底部と基台の間に水が浸入したことによってタンクに大きな浮力が作用し、基台からの脱落を誘発したと考えられている。
【００１２】
したがって、水害等によりタンクが水に浸った場合であっても、タンクが基台から脱落、漂流することを防止できる手法が強く望まれている。
【００１３】
本発明は、上記事情に鑑み、水害等によりタンクが水に浸った場合であっても、タンクの基台からの脱落、漂流を比較的簡便に防止できるタンクの保持構造を提供することを目的とする。
【課題を解決するための手段】
【００１４】
上記の目的を達するために、この発明は以下の手段を提供している。
【００１５】
本発明のタンクの保持構造は、水害時に水に浸かり得る地域に設置されたタンクを水に浸かった場合に保持するための構造であって、繊維シートと樹脂材の複合材料であり、前記タンクの側面に前記タンクを囲繞するように設けられる繊維強化プラスチックと、前記タンクを囲繞するように前記繊維強化プラスチックを設けるとともに前記タンクの側面に固定して配設される接続手段と、間接的または直接的に地盤に固定して配設される定着手段と、前記接続手段と前記定着手段とを連結する連結手段とを備えることを特徴とする。
【００１６】
また、本発明のタンクの保持構造において、前記接続手段は、輪状の接続部と、前記接続部に繋がる略矩形板状あるいは略棒状の固定部とを備えてなり、長手方向を上下方向に向けて配された前記固定部が前記タンクを囲繞するように前記繊維強化プラスチックを設けるとともに前記繊維強化プラスチックと前記タンクの側面の間に挟持されて前記タンクの側面に固設され、前記接続部が前記タンクの側面の外側に突設されることが望ましい。
【００１７】
さらに、本発明のタンクの保持構造において、前記繊維強化プラスチックは、少なくとも前記タンクの座屈発生予想位置を含んで前記タンクの座屈耐力を向上させるようにその設置範囲が設定されていることがより望ましい。
【発明の効果】
【００１８】
本発明のタンクの保持構造においては、繊維強化プラスチック（ＦＲＰ）によってタンクに固定して設けられた接続手段と、地盤に定着させた定着手段とが連結手段で連結されているため、水害時にタンクに波力や浮力が作用してもタンクを保持することが可能になる。
【００１９】
また、このとき、接続手段をタンクに繊維シートを巻き回して貼設してなる繊維強化プラスチックによってタンクの側面に固定するようにしているため、接続手段に作用する外力を繊維強化プラスチックに伝達し、点ではなく繊維強化プラスチックの大きな面積の面で分散支持することが可能になる。さらに、繊維強化プラスチックは連結手段の張力に対し、タンクの側面への付着力だけでなく、フープ筋のように周方向の力で対抗することができる。これにより、タンクに大きな外力が作用した際に、より確実にタンクを保持することが可能になる。
【００２０】
よって、本発明のタンクの保持構造によれば、津波や高潮、台風、豪雨、ダムや堤防の決壊、越流など、あらゆる水害に伴って水に浸かり得る地域（沿岸地域など）に設置されたタンクが、水害時に水に浸った場合であっても、このタンクが基台から脱落し漂流することを防止できる。
【図面の簡単な説明】
【００２１】
【図１】本発明の一実施形態に係るタンクの保持構造を示す図である。
【発明を実施するための形態】
【００２２】
以下、図１を参照し、本発明の一実施形態に係るタンクの保持構造について説明する。
【００２３】
本実施形態のタンクの保持構造は、津波や高潮、台風、豪雨、ダムや堤防の決壊、越流など、あらゆる水害に伴って水に浸かり得る地域（沿岸地域など）に設置されたタンクを対象とし、水害時に水に浸った場合であってもタンクが流されることを防止するための構造に関するものである。
【００２４】
具体的に、本実施形態のタンク１は、図１に示すように、例えば、漁船などの船舶に燃料を補給するための円筒型のオイルタンクであり、鋼製で、円筒状の胴部１ａの上側開口をリリーフ弁や開閉口を備えた蓋部１ｂで閉塞し、下側開口を底版部１ｃで閉塞して密閉可能に形成されている。また、タンク１の下端部の外周には、外面から径方向外側に突出し、周方向に延びる環状のフランジ１ｄが設けられ、コンクリート製の基台６上に固定して設置されている。
【００２５】
一方、本実施形態のタンクの保持構造Ａは、タンク１の側面１ｅにタンク１を囲繞するように設けられるＦＲＰ（Fiber-Reinforced Plastics：繊維材と樹脂材の複合材料、繊維強化プラスチック）２と、タンク１を囲繞するようにＦＲＰ２を設けるとともにタンク１の側面１ｅに固定して配設される接続手段３と、間接的または直接的に地盤Ｇに固定して配設される定着手段４と、接続手段３と定着手段４とを連結する連結手段５とを備えて構成されている。
【００２６】
本実施形態のＦＲＰ２は、繊維シート（シート状の繊維材）をタンク１の側面１ｅに巻き回し、接着樹脂を含浸させて、タンク１の側面１ｅの所望の高さ位置に所定の高さ範囲を被覆するように貼設されている。
【００２７】
ＦＲＰ２の繊維材としては、炭素繊維、アラミド繊維、ガラス繊維等、ＦＲＰ２に適用可能であればあらゆる繊維材を用いることができる。また、繊維方向を一方向に揃えてシート状に形成、あるいは、例えば繊維方向を一方向と一方向に直交する他方向に向け、繊維を織り込んでシート状に形成したものなどが好適な繊維材として挙げられる。なお、繊維材の繊維の種類、繊維方向等は必ずしも限定しなくてもよい。
【００２８】
ＦＲＰ２の樹脂材としては、接着部分の不陸修正、表面処理、下塗り、繊維材への含浸、仕上げ等にそれぞれ適した樹脂材を適宜選択的に用いればよい。例えば、下塗り、繊維材への含浸等には、所望の接着強度、含浸性能等を発現、具備するエポキシ樹脂やアクリル樹脂など、仕上げ材には、所望の耐候性、見栄えの確保が可能なウレタン樹脂、フッ素樹脂などが挙げられる。なお、ＦＲＰ２の樹脂材においても特に限定を必要としない。
【００２９】
接続手段３としては、例えば、頭部が輪状に形成され、連結手段５を接続するアイボルト（輪状の接続部）３ａと、アイボルト３ａをボルト接合する略矩形板状あるいは略棒状の固定部材（アイプレートなど、固定部）３ｂとで構成することが好ましい。本実施形態では、アイボルト３ａが輪状の頭部（接続部）と外周に雄ネジの螺刻が施されたボルト部（軸部）とを一体に備えて形成され、固定部材３ｂが長さ方向略中央の所定位置にアイボルト３ａのボルト部を螺合する雌ネジ孔を備えて形成されている。なお、本発明に係る接続手段３は、輪状の接続部と、接続部に繋がる固定部とを備えていればよく、本実施形態の構成に限定する必要はない。
【００３０】
そして、接続手段３としてアイボルト３ａと固定部材３ｂを用いる場合には、アイボルト３ａをボルト接合した固定部材３ｂを、長手方向を上下方向に配しつつタンク１の側面１ｅに固着（仮接着）し、タンク１の側面１ｅに繊維シートを巻き付けつつ固定部材３ｂの上に繊維シートを貼設して固定部材３ｂを挟持する。
【００３１】
これにより、アイボルト３ａの輪状の頭部を突出させつつタンク１の側面１ｅに接続手段３を固定することができる。また、本実施形態では、このような接続手段３がタンク１の軸線Ｏ１中心の周方向に所定の間隔をあけて複数設けられる。
【００３２】
本実施形態の定着手段４は、グラウンドアンカーであり、タンク１及び基台６の外側の地盤Ｇに打設されている。また、複数の接続手段３のそれぞれに対応するように、複数の定着手段４がタンク１の軸線Ｏ１中心の周方向に沿って所定の間隔をあけて設けられている。
【００３３】
本実施形態の連結手段５は、ワイヤーなどの索状体であり、一端側を接続手段３のアイボルト３ａに、他端側を定着手段４のグラウンドアンカーにそれぞれ接続して配設されている。また、索状体の張り具合を適宜調整可能な張力調整手段を備えることで、所望の適度な張り具合で索状体を設けることができる。
【００３４】
なお、接続手段３は、ＦＲＰ２とともにタンク１の側面１ｅに取り付けられ、連結手段５を介して定着手段４に連結可能であれば、特にその構成を限定する必要はない。また、定着手段４は、地盤Ｇに直接、あるいは基台６や近隣の重量物に取り付けるなどして地盤Ｇに間接的に定着されていればよく、必ずしもグラウンドアンカーに限定しなくてもよい。さらに、連結手段５は、接続手段３と定着手段４を連結することが可能であれば、必ずしも索状体でなくてもよい。
【００３５】
次に、本実施形態のタンクの保持構造Ａを設ける際には、タンク１の側面１ｅを適宜不陸修正、下地処理したのち、固定部材３ｂを仮接着して複数の接続手段３をタンク１の側面１ｅの所定位置に配設するとともに、下塗り、繊維シートの巻き付け、繊維シートの含浸接着を行ってＦＲＰ２を形成する。このとき、複数の繊維シートを積層してＦＲＰ２を形成してもよく、さらに各層の繊維シートの繊維方向を異なる所望の方向に向けて積層するようにしてもよい。
【００３６】
また、ＦＲＰ２の表面に仕上げの塗装を行う。なお、必ずしも仕上げ塗装を行わなくてもよい。
【００３７】
ここで、タンク１の側面１ｅに繊維シートを接着するＦＲＰ設置領域（タンク側の繊維シート接着範囲）Ｍは、特に限定を必要としないが、例えば、象足座屈、提灯座屈、ダイヤモンド座屈など、地震などの外力がタンク１に作用したときに生じ得るタンク座屈の位置を考慮し、この座屈発生予測位置を補強できるように設定することが好ましい。すなわち、地震などの外力によるタンク１の損傷を抑止／防止できるようにＦＲＰ２の設置領域を設定することが好ましい。
【００３８】
そして、地盤Ｇに打設した定着手段４のグラウンドアンカーと、接続手段３のアイボルト３ａの輪状頭部に連結手段５の索状体のワイヤーの一端部側と他端部側を接続し、本実施形態のタンクの保持構造Ａが完成する。
【００３９】
上記構成からなる本実施形態のタンクの保持構造Ａにおいては、ＦＲＰ２によってタンク１に固定して設けられた接続手段３のアイボルト３ａと、地盤Ｇに定着した定着手段４のグラウンドアンカーとが連結手段５の索状体で連結されているため、水害時にタンク１に波力や浮力が作用してもタンク１を保持することが可能になる。
【００４０】
また、このとき、接続手段３の固定部材３ｂを、タンク１に繊維シートを巻き回して貼設してなるＦＲＰ２によってタンク１の側面１ｅに固定するようにしているため、接続手段３に作用する外力をＦＲＰ２に点ではなくＦＲＰ２の大きな面積の面に伝達して支持することが可能になる。さらに、ＦＲＰ２はワイヤー張力に対し、タンク１の側面１ｅへの付着力だけでなく、フープ筋のように周方向の力で対抗することができる。これにより、タンク１に大きな外力が作用した際に、より確実にタンク１を保持することが可能になる。
【００４１】
よって、本実施形態のタンクの保持構造Ａによれば、津波や高潮、台風、豪雨、ダムや堤防の決壊、越流など、あらゆる水害に伴って水に浸かり得る地域（沿岸地域など）に設置されたタンク１が、水害時に水に浸った場合であっても、このタンク１が基台６から脱落し漂流することを防止できる。
【００４２】
さらに、本実施形態のタンクの保持構造Ａにおいては、ＦＲＰ２や接続手段３、定着手段４、連結手段５の設置に、溶接など火器を使用する必要がないため、漁港などの沿岸地域に多数設けられているオイルタンク（やガスタンク）などに対しても好適に採用することができる。
【００４３】
さらに、ＦＲＰ２の設置範囲Ｍを、少なくともタンク１の座屈発生予想位置を含むように設定することによって、効果的にタンク１を補強することができ、地震などが発生した際にタンク１の座屈、損傷をＦＲＰ２によって防止することが可能になる。
【００４４】
以上、本発明に係るタンクの保持構造の一実施形態について説明したが、本発明は上記の実施形態に限定されるものではなく、その趣旨を逸脱しない範囲で適宜変更可能である。
【符号の説明】
【００４５】
１    タンク
１ａ  胴部
１ｂ  蓋部
１ｃ  底版部
１ｄ  フランジ
１ｅ  側面
２    ＦＲＰ（繊維強化プラスチック、繊維シートと樹脂材の複合材料）
３    接続手段
３ａ  アイボルト（輪状の接続部）
３ｂ  固定部材（固定部）
４    定着手段（グラウンドアンカー）
５    連結手段（索状体、ワイヤー）
６    基台
Ａ    タンクの保持構造
Ｏ１  軸線
Ｍ    ＦＲＰの設置領域／範囲
【図１】
2019151346.tif 000003